(57)【要約】【課題】  本発明は、自動車用ブレーキシステム（１）内の液体の温度を検出するための方法および装置に関する。【解決手段】  前記ブレーキシステム（１）の少なくとも１つのソレノイド弁（１６，１８）のコイル抵抗を考慮して前記温度を検出する。本発明は、さらに、自動車用ブレーキシステム（１）を作動させるための方法に関する。また、本発明は自動車用ブレーキシステム（１）に関する。【選択図】  図１
2020023310.tif 000002
【特許請求の範囲】
【請求項１】
自動車用ブレーキシステム（１）内の液体の温度を検出するための方法において、前記ブレーキシステム（１）の少なくとも１つのソレノイド弁（１６，１８）のコイル抵抗を考慮して前記温度を検出することを特徴とする方法。
【請求項２】
前記ブレーキシステム（１）内の前記液体の前記温度と前記ソレノイド弁（１６，１８）の測定したコイル抵抗との間の相関関係のモデルを使用して前記ブレーキシステム（１）内の前記液体の前記温度を特定することを特徴とする、請求項１に記載の方法。
【請求項３】
前記ブレーキシステム（１）の前記少なくとも１つのソレノイド弁（１６，１８）の前記コイル抵抗を、予め設定したタイムインターバルで、好ましくは２０秒のタイムインターバルで測定し、その際前記少なくとも１つのソレノイド弁（１６，１８）の前記コイル抵抗が前記ブレーキシステム（１）内の前記液体の前記温度に対し線形関係にあることを特徴とする、請求項１または２に記載の方法。
【請求項４】
自動車用ブレーキシステム（１）を作動させるための方法であって、
ブレーキマスタシリンダ（１０）に結合されている第１のブレーキ回路（１２）および／または前記ブレーキマスタシリンダ（１０）に結合されている第２のブレーキ回路（１４）の少なくとも１つの貯留室（２０，２２）を空にするステップを含んでいる前記方法において、
請求項１から３までのいずれか一つに記載の方法によって検出された前記ブレーキシステム（１）内の前記液体の温度を考慮して前記少なくとも１つの貯留室（２０，２２）を空にすることを特徴とする方法。
【請求項５】
前記少なくとも１つのソレノイド弁（１６，１８）を、好ましくは車輪排出弁を開くことによって前記少なくとも１つの貯留室（２０，２２）を空にし、ブレーキ液の検出された前記温度に依存して前記少なくとも１つのソレノイド弁（１６，１８）の開弁時間を制御することを特徴とする、請求項４に記載の方法。
【請求項６】
前記貯留室（２０，２２）を空にするための時間が予め設定された閾値、好ましくは３秒の閾値を下回っていることが検出された場合に、前記少なくとも１つのソレノイド弁（１６，１８）を開くことによって前記少なくとも１つの貯留室（２０，２２）を空にすることを特徴とする、請求項５に記載の方法。
【請求項７】
前記ブレーキシステム（１）内の前記液体の前記温度が−３５℃以下であることが検出された場合に、前記ブレーキシステム（１）のポンプ（２４，２６）を起動することによって前記少なくとも１つの貯留室（２０，２２）を空にすることを特徴とする、請求項４に記載の方法。
【請求項８】
前記貯留室（２０，２２）を空にするための時間が予め設定された閾値、好ましくは３秒の閾値を上回っていることが検出された場合に、前記ブレーキシステム（１）のポンプ（２４，２６）を起動することによって前記少なくとも１つの貯留室（２０，２２）を空にすることを特徴とする、請求項４または７に記載の方法。
【請求項９】
発電機作動モードで作動される電気機械によって生成されたブレーキトルクにより提供される回生のみの制動の間に、前記少なくとも１つの貯留室（２０，２２）をブレーキ液で充填することを特徴とする、請求項４から８までのいずれか一項に記載の方法。
【請求項１０】
液圧で生成されるブレーキトルクが要求される場合、特に液圧式の前記ブレーキシステム（１）の第１のブレーキトルクと前記発電機作動モードで作動される前記電気機械の第２のブレーキトルクとのブレーキトルク協調の際に、前記少なくとも１つの貯留室（２０，２２）を完全に空にすることを特徴とする、請求項９に記載の方法。
【請求項１１】
自動車用ブレーキシステム（１）内の液体の温度を検出するための装置（２）において、該装置（２）が、少なくとも１つのソレノイド弁（１６，１８）のコイル抵抗を検知し、前記ブレーキシステム（１）の前記少なくとも１つのソレノイド弁（１６，１８）の検知されたコイル抵抗を考慮して前記温度を検出するために設置されていることを特徴とする装置（２）。
【請求項１２】
ブレーキマスタシリンダ（１０）と、該ブレーキマスタシリンダ（１０）に結合されている第１のブレーキ回路（１２）および前記ブレーキマスタシリンダ（１０）に結合されている第２のブレーキ回路（１４）と、前記第１のブレーキ回路（１２）および／または前記第２のブレーキ回路（１４）のソレノイド弁（１６，１８）を起動するための制御装置（２）とを備え、ブレーキシステム（１）内の液体の温度を考慮して前記第１のブレーキ回路（１２）および／または前記第２のブレーキ回路（１４）の少なくとも１つの貯留室（２０，２２）を空にすることができる自動車用ブレーキシステム（１）。
【発明の詳細な説明】
【技術分野】
【０００１】
本発明は、自動車用ブレーキシステム内の液体の温度を検出するための方法に関するものである。本発明は、さらに、自動車用ブレーキシステム内の液体の温度を検出するための装置に関する。また、本発明は自動車用ブレーキシステムを作動させるための方法に関する。さらに、本発明は自動車用ブレーキシステムに関する。
【背景技術】
【０００２】
ブレーキシステムを作動させるための従来の方法は、たとえば発電機作動モードで作動される電気機械によってもっぱら回生的に生成されたブレーキトルクが制動されるときに、ブレーキマスタシリンダに結合されている第１のブレーキ回路および／またはブレーキマスタシリンダに結合されている第２のブレーキ回路の少なくとも１つの貯留室を空にすることを含んでいる。
【０００３】
特許文献１は、ブレーキマスタシリンダと、第１の貯留室を備えた第１のブレーキ回路と、第１の車輪ブレーキシリンダと、第２の車輪ブレーキシリンダとを備えた車両用ブレーキシステムを開示している。この場合、第１の車輪ブレーキシリンダは第１の車輪排出弁を介して第１の貯留室と液圧結合され、第２の車輪ブレーキシリンダは第２の車輪排出弁を介して第１の貯留室と液圧結合されている。
【先行技術文献】
【特許文献】
【０００４】
【特許文献１】独国特許出願公開第１０２０１６２０８５２９号明細書
【発明の概要】
【０００５】
本発明は、自動車用ブレーキシステム内の液体の温度を検出するための方法を提供し、前記ブレーキシステムの少なくとも１つのソレノイド弁のコイル抵抗を考慮して前記温度が検出される。
【０００６】
本発明は、さらに、自動車用ブレーキシステム内の液体の温度を検出するための装置を提供し、該装置は、少なくとも１つのソレノイド弁のコイル抵抗を検知し、前記ブレーキシステムの前記少なくとも１つのソレノイド弁の検知されたコイル抵抗を考慮して前記温度を検出するために設置されている。
【０００７】
本発明は、さらに、自動車用ブレーキシステムを作動させるための方法を提供する。この方法は、ブレーキマスタシリンダに結合されている第１のブレーキ回路および／または前記ブレーキマスタシリンダに結合されている第２のブレーキ回路の少なくとも１つの貯留室を空にし、その際、自動車のブレーキシステム内の液体の温度を検出するための本発明による方法によって検出された温度を考慮して前記少なくとも１つの貯留室を空にする。
【０００８】
本発明は、さらに、自動車用ブレーキシステムを提供し、該ブレーキシステム内の液体の温度を考慮して第１のブレーキ回路および／または第２のブレーキ回路の少なくとも１つの貯留室を空にすることができる。
【０００９】
本発明の思想は、少なくとも１つの貯留室を空にする際にブレーキシステム内の液体の温度を検出することにより、ブレーキシステムの液体の粘度と、これによって生じる、温度に依存して変化する液体の体積流とを互いに関係付け、これによって少なくとも１つの貯留室を空にするにはどの程度の時間が必要であるかをより正確に特定するというものである。
【００１０】
これにより、少なくとも１つの貯留室を空にする際の液体の体積流を過小評価することも過大評価することもなく、正確に特定することができる。さらに、これにより少なくとも１つの貯留室の充填状態が常に既知になり、その結果液体の粘度が高くなることによって少なくとも１つの貯留室が完全に空にならない事態を阻止することができ、したがってブレーキシステムのブレーキ性能を改善することができる。
【００１１】
有利な実施態様および更なる構成は、従属項および図を参照した説明から明らかである。
【００１２】
有利な更なる構成によれば、ブレーキシステム内の液体の温度と測定したコイル抵抗との間の相関関係のモデルを使用してブレーキシステム内の液体の温度を特定するように構成されている。したがって、ブレーキシステム内の液体の温度は、測定技術的に特定する必要がなく、コイル抵抗の既存の測定値を介して特定でき、またはこれから導出できるので有利である。
【００１３】
有利な他の更なる構成によれば、ブレーキシステムの少なくとも１つのソレノイド弁のコイル抵抗を、予め設定したタイムインターバルで、好ましくは２０秒のタイムインターバルで測定し、その際少なくとも１つのソレノイド弁のコイル抵抗がブレーキシステム内の液体の温度に対し線形関係にあるように構成されている。したがって、ブレーキシステム内で使用する液体に応じて、該液体の温度とコイル抵抗との相関関係に対するモデルを簡単に作成することができる。
【００１４】
有利な他の更なる構成によれば、少なくとも１つのソレノイド弁を、好ましくは車輪排出弁を開くことによって少なくとも１つの貯留室を空にし、その際ブレーキ液の検出された温度に依存して少なくとも１つのソレノイド弁の開弁時間を制御するように構成されている。したがって、ソレノイド弁を、好ましくは少なくとも１つの貯留室が完全に空になることが保証されているような長さで開弁することができる。
【００１５】
有利な他の更なる構成によれば、貯留室を空にするための時間が予め設定された閾値、好ましくは３秒の閾値を下回っていることが特定された場合に、少なくとも１つのソレノイド弁を開くことによって少なくとも１つの貯留室を空にするように構成されている。閾値を下回ることによって、少なくとも１つの貯留室を十分に迅速な時間で空にすることができるよう保証することができる。
【００１６】
有利な他の更なる構成によれば、ブレーキシステム内の液体の温度が−３５℃以下であることが特定された場合に、ブレーキシステムのポンプを起動することによって少なくとも１つの貯留室を空にするように構成されている。このような温度ではブレーキシステム内の液体の粘度が上昇しているので、有利にはブレーキシステムのポンプを起動することによって少なくとも１つの貯留室を空にし、このことは、単にソレノイド弁を開弁することに比べて、少なくとも１つの貯留室をより迅速に空にすることを可能にする。
【００１７】
有利な他の更なる構成によれば、貯留室を空にするための時間が予め設定された閾値、好ましくは３秒の閾値を上回っていることが特定された場合に、ブレーキシステムのポンプを起動することによって少なくとも１つの貯留室を空にするように構成されている。したがって、閾値を上回っていることが検知されると、ブレーキシステムのポンプを作動させることで、ソレノイド弁を開弁することに比べてより迅速に貯留室を空にすることを可能にする。
【００１８】
有利な他の更なる構成によれば、発電機作動モードで作動される電気機械によって生成されたブレーキトルクにより提供される回生のみの制動の間に、少なくとも１つの貯留室をブレーキ液で充填するように構成されている。
【００１９】
通常、回生のみの制動の間は液圧で生成される付加的なブレーキトルクを必要としないので、有利にはこのように少なくとも１つの貯留室を液体で充填する。
【００２０】
有利な他の更なる構成によれば、液圧で生成されるブレーキトルクが要求される場合、特に液圧式のブレーキシステムの第１のブレーキトルクと発電機作動モードで作動される電気機械の第２のブレーキトルクとのブレーキトルク協調の際に、少なくとも１つの貯留室を完全に空にするように構成されている。
【００２１】
液圧で生成されるブレーキトルクが要求される場合は適当なブレーキ圧がブレーキシステム内になければならないので、このようにして少なくとも１つの貯留室を好ましくは完全に空にする。
【００２２】
上述した構成および更なる構成は、互いに任意に組み合わせることができる。
【００２３】
本発明の他の可能な構成、更なる構成および実施は、明確に取り上げなかった、本発明の前述した複数の構成要件または以下で実施形態に関し説明する複数の構成要件の組み合わせをも含むものである。
【図面の簡単な説明】
【００２４】
添付の図面は、本発明の実施形態をさらに理解するためのものである。これらの図面は実施形態を具体的に説明しており、本発明の原理およびコンセプトを明らかにする説明と関連して用いられる。
【００２５】
その他の実施形態および前記利点のうちの多くは図面を考慮すれば明らかである。図面に図示された要素は必ずしも互いに縮尺どおりに示されていない。
【図１】本発明の有利な一実施形態による自動車用ブレーキシステムの液圧回路図である。
【図２】本発明の前記有利な実施形態による自動車用ブレーキシステムを作動させるための方法のフローチャートである。
【発明を実施するための形態】
【００２６】
図面の図では、反することが記載されていない限り、同じ参照符号は同じまたは機能的に同じ要素、構成部材または構成要素を示している。
【００２７】
図１は、本発明の有利な一実施形態による自動車用ブレーキシステムの液圧回路を示している。
【００２８】
自動車用ブレーキシステム１は、ブレーキマスタシリンダ１０と、該ブレーキマスタシリンダ１０に結合されている第１のブレーキ回路１２と、ブレーキマスタシリンダ１０に結合されている第２のブレーキ回路１４とを有している。
【００２９】
ブレーキシステム１は、さらに、第１のブレーキ回路１２の第１のソレノイド弁１６と第２のブレーキ回路１４の第２のソレノイド弁１８とを起動するための（図１には図示していない）制御装置（２）を有している。第１のソレノイド弁１６は、好ましくは車輪排出弁によって形成されている。
【００３０】
第２のソレノイド弁１８は、好ましくは、同様に車輪排出弁によって形成されている。第１のブレーキ回路１２は第１の貯留室２０を有し、第２のブレーキ回路１４は第２の貯留室２２を有している。第１のブレーキ回路１２の第１の貯留室２０と、第２のブレーキ回路１４の第２の貯留室２２とは、それぞれブレーキシステム１内の液体の温度を考慮して空にすることができる。
【００３１】
ブレーキシステム１内の液体の温度は、ブレーキシステム１内の液体の温度とソレノイド弁の測定されたコイル抵抗との間の相関関係のモデルを使用して特定される。ブレーキシステム１のソレノイド弁１６，１８のコイル抵抗は、（図１には図示していない）制御装置（２）によって測定される。これとは択一的に、別個の測定装置が設けられていてよい。ブレーキシステム１の第１のソレノイド弁１６および第２のソレノイド弁１８のコイル抵抗は、予め設定されるタイムインターバルで、好ましくは２０秒のタイムインターバルで測定される。第１のソレノイド弁１６および第２のソレノイド弁１８のコイル抵抗は、ブレーキシステム１内の液体の温度に対し線形関係にある。
【００３２】
第１のブレーキ回路１２の第１の貯留室２０と第２のブレーキ回路１４の第２の貯留室２２とは、発電機作動モードで作動される電気機械によって生成されたブレーキトルクにより提供される回生のみの制動の間にブレーキ液で充填される。
【００３３】
液圧で生成されるブレーキトルクが要求がされる場合、特に液圧式ブレーキシステム１の第１のブレーキトルクと発電機作動モードで作動される（図１には示していない）電気機械の第２のブレーキトルクとのブレーキトルク協調の際に、第１のブレーキ回路１２の第１の貯留室２０と第２のブレーキ回路１４の第２の貯留室２２とは完全に空にされる。
【００３４】
第１のソレノイド弁１６は、第１のブレーキ回路１２の、自動車の後車軸２５に配置された第１の車輪ブレーキ２７に付設されている。第２のソレノイド弁１８は、第２のブレーキ回路１４の、自動車の後車軸２５に配置された第２の車輪ブレーキ２８に付設されている。
【００３５】
さらに、ブレーキシステム１は、自動車の前車軸のそれぞれの車輪ブレーキ３０，３１を有している。また、ブレーキシステム１は複数の切換え可能な弁３２，３３，３４，３５，３６，３７，３８，３９，４０，４１を有している。これらの弁はその配置および機能性に関し当業者に公知であるので、ここで詳細に説明しない。
【００３６】
図２は、本発明の有利な実施形態による自動車用ブレーキシステムを作動させるための方法のフローチャートである。
【００３７】
ステップＳ１で、ブレーキシステム１内の液体の温度が予め設定された閾値、好ましくは−３５℃を下回っているかどうかを検出する。下回っている場合には、ステップＳ２で、第１のブレーキ回路１２の第１の貯留室２０と第２のブレーキ回路１４の第２の貯留室２２とを完全に空にするために、第１のブレーキ回路１２の第１のポンプ２４と第２のブレーキ回路１４の第２のポンプ２６とを起動する。
【００３８】
ブレーキシステム１内の液体の温度が−３５℃を越えていること、すなわち予め設定された限界値を下回っていることが特定された場合には、ステップＳ３で、第１のブレーキ回路１２の第１の貯留室２０と第２のブレーキ回路１４の第２の貯留室２２とを空にするための時間が予め設定された閾値、好ましくは３秒を上回るかどうかを特定する。
【００３９】
上回る場合には、ステップＳ４で、第１のブレーキ回路１２の第１のポンプ２４と第２のブレーキ回路１４の第２のポンプ２６とを起動し、その結果第１のブレーキ回路１２の第１のポンプ２４によって第１のブレーキ回路１２の第１の貯留室２０が完全に空にされ、第２のポンプ２６によって第２のブレーキ回路１４の第２の貯留室２２が完全に空にされる。
【００４０】
貯留室２０，２２を完全に空にするための検出された時間が予め設定された３秒の閾値を下回っている場合には、ステップＳ５で、第１のブレーキ回路１２の第１のソレノイド弁１６と第２のブレーキ回路１４の第２のソレノイド弁１８とをそれぞれ開き、その結果第１のブレーキ回路１２の第１のソレノイド弁１６が開くことによって第１のブレーキ回路１２の第１の貯留室２０が空にされ、第２のブレーキ回路１４の第２のソレノイド弁１８が開くことによって第２のブレーキ回路１４の第２の貯留室２２が空にされる。
【００４１】
本発明を有利な実施形態に基づいて上述したが、本発明はこれに限定されるものではなく、多種多様に変更が可能である。特に、本発明は、発明の主旨を逸脱しなければ種々に改変または変更することができる。
【００４２】
たとえば、ソレノイド弁および／または貯留室のサイズ、性能または構成は、その都度の構造的、組織的および／または制御技術的要請に適合させてよい。
【符号の説明】
【００４３】
１  ブレーキシステム
２  制御装置（ブレーキシステム内の液体の温度を検出するための装置）
１０  ブレーキマスタシリンダ
１２  第１のブレーキ回路
１４  第２のブレーキ回路
１６  第１のソレノイド弁
１８  第２のソレノイド弁
２０  第１の貯留室
２２  第２の貯留室
２４  第１のポンプ
２６  第２のポンプ
【図１】
2020023310.tif 000003
【図２】
2020023310.tif 000004
【外国語明細書】
2020023310000001.pdf